(57)【特許請求の範囲】
【請求項１】
第１色温度の光を照射する複数の第１ＬＥＤ光源が直列に接続された第１光源列と、
安定電圧範囲を有する定電流ダイオードと、前記第１色温度と異なる第２色温度の光を照射する複数の第２ＬＥＤ光源とを備え、前記定電流ダイオードと前記第２ＬＥＤ光源が直列に接続されるとともに、前記複数の第２のＬＥＤ光源が直列に接続された第２光源列と、
前記第１光源列と前記第２光源列を並列に接続し、供給される電流を前記第１光源列および前記第２光源列に流す入力部と、
を有する調光調色回路を含む光源部を備え、
前記第１ＬＥＤ光源と前記第２ＬＥＤ光源は、約３Ｖの順方向電圧を有し、
前記第１ＬＥＤ光源の数は、前記第２ＬＥＤ光源の数より２個または３個多く、
前記入力部に供給される電流量により定まる調光率は連続的に可変であり、前記調光率が低くなるにつれて、前記光源部全体の照射光の色温度が前記第２色温度に近づく、照明装置であって、
前記定電流ダイオードは、少なくとも前記調光率が１００％の場合に、前記第１ＬＥＤ光源の数と前記第２ＬＥＤ光源の数の差が２個または３個の場合において、それぞれ前記安定電圧範囲内である約６Ｖまたは約９Ｖの電圧が印加されることにより定電流で動作する、照明装置。
【請求項２】
請求項１に記載の照明装置であって、
前記第１色温度は、前記第２色温度よりも高色温度である、照明装置。
【請求項３】
請求項１又は請求項２に記載の照明装置であって、
前記入力部は、所望の可変電流値の電力を供給する定電流源と接続される、照明装置。
【発明の詳細な説明】
【技術分野】
【０００１】
本発明は、照明装置に関する。
【背景技術】
【０００２】
近年、照明装置用の光源として、白熱電球に代わりＬＥＤ光源が広く用いられるようになった。また、照明の色温度と、ユーザの活動性との関係が広く認知されるようになっている。これに伴い、ユーザの活動状況に応じて照明の色温度を変更できる照明装置のニーズが高まっている。
【０００３】
中でも、光量に応じて色温度を変更する照明装置は、ユーザが光量のみを調節すればよいため、非常に有用である。例えば、ユーザの活動時には、昼白色や昼光色の高色温度かつ高光量の光を照射でき、ユーザがリラックスしたい時には、電球色や温白色の低色温度かつ低光量の光を照射できるリビング用の照明が考えられる。また、例えば、高光量時には優しい色合いの白色や温白色の低色温度の光を照射し、省エネモードの低光量時には、低光量であっても文字がはっきりと見やすい昼白色や昼光色の高色温度の光を照射する読書用の部分照明が考えられる。
【０００４】
このような、光量に応じて色温度を変更する照明装置は、例えば、特許文献１に示されている。特許文献１に記載の照明装置は、抵抗素子を用いて、第１の白色光源に供給される電流量と第２の白色光源に供給される電流量とを調整し、電流値に応じて回路全体の照射光の色温度が変化するように構成されている。
【０００５】
具体的には、この照明装置は、直列に接続された複数の第１の白色発光ダイオードを備えた第１の白色光源と、抵抗と複数の第２の白色発光ダイオードとが直列に接続された第２の白色光源とを有する。第１の白色光源は、第１の色温度を有する。第２の白色光源は、第１の色温度よりも低い第２の色温度を有する。第１の白色光源と第２の白色光源とは、並列に接続される。また、第１の白色光源の駆動電圧（順方向降下電圧）は、第２の白色光源の駆動電圧（順方向降下電圧）よりも高い（段落０００７）。
【０００６】
この照明装置では、電流値が第１の白色光源の駆動電流未満の場合には、第２の白色光源に支配的に電流が流れるが、電流値が第１の白色光源の駆動電流以上の場合には、第１の白色光源に支配的に電流が流れる（段落００３２）。
【先行技術文献】
【特許文献】
【０００７】
【特許文献１】国際公開第２０１５／１４１２２２号
【発明の概要】
【発明が解決しようとする課題】
【０００８】
しかしながら、製造上、発光ダイオードの順方向降下電圧には、ばらつきが生じる。このため、特許文献１に記載の照明装置は、調光調色に係る回路毎に、第１の白色光源の駆動電流にばらつきが生じる。その結果、製品ごとに電流値に対する回路全体の照射光の色温度にばらつきが生じる。
【０００９】
本発明は、このような事情に鑑みなされたものであり、発光ダイオードの順方向降下電圧にばらつきがある場合であっても、電流値に対する照射光の色温度の回路毎のばらつきを抑制できる技術を提供することを目的とする。
【課題を解決するための手段】
【００１０】
上記課題を解決するため、本願の第１発明は、第１色温度の光を照射する複数の第１ＬＥＤ光源が直列に接続された第１光源列と、定電流素子と、前記第１色温度と異なる第２色温度の光を照射する複数の第２ＬＥＤ光源とが直列に接続された第２光源列と、前記第１光源列と前記第２光源列を並列に接続し、供給される電流を前記第１光源列および前記第２光源列に流す入力部と、を有する調光調色回路を備えた照明装置である。
【００１１】
本願の第２発明は、第１発明の照明装置であって、前記第１色温度は、前記第２色温度よりも高色温度である。
【００１２】
本願の第３発明は、第１発明または第２発明の照明装置であって、前記第１光源列に含まれる前記第１ＬＥＤ光源の数は、前記第２光源列に含まれる前記第２ＬＥＤ光源の数よりも多い。
【００１３】
本願の第４発明は、第３発明の照明装置であって、前記第１ＬＥＤ光源の数は、前記第２ＬＥＤ光源の数より２個または３個多い。
【００１４】
本願の第５発明は、第１発明ないし第４発明の照明装置であって、前記定電流素子は、定電流ダイオードである。
【００１５】
本願の第６発明は、第１発明ないし第５発明のいずれかの照明装置であって、前記入力部は、所望の可変電流値の電力を供給する定電流源と接続される。
【発明の効果】
【００１６】
本願の第１発明から第６発明によれば、各ＬＥＤ光源の順方向降下電圧にばらつきがある場合であっても、電流値に対する照射光の色温度の回路毎のばらつきを抑制できる。
【図面の簡単な説明】
【００１７】
【図１】第１実施形態に係る照明装置の斜視図である。
【図２】第１実施形態に係る照明装置のカバーを取り外した状態の正面図である。
【図３】第１実施形態に係る調光調色回路の回路図である。
【図４】第１実施形態に係る定電流ダイオードの電圧−電流特性を示した図である。
【図５】第１実施形態に係る照明装置の調光率と光束および色温度との関係を示した図である。
【図６】第１実施形態に係る照明装置の調光率と光束との関係を示したグラフである。
【図７】第１実施形態に係る照明装置の調光率と色温度との関係を示したグラフである。
【図８】変形例に係る調光調色回路の回路図である。
【図９】変形例に係る調光調色回路の回路図である。
【図１０】変形例に係る調光調色回路の回路図である。
【図１１】変形例に係る調光調色回路の回路図である。
【発明を実施するための形態】
【００１８】
以下、本発明の好適な実施形態について、図面を参照しつつ説明する。
【００１９】
＜１．第１実施形態＞
本発明の第１実施形態に係る照明装置１は、チューブ型ＬＥＤライトである。図１は、本発明の第１実施形態に係る照明装置１の斜視図である。図２は、照明装置１のカバー１２を取り外した状態の正面図である。図３は、照明装置１が有する調光調色回路１４の回路図である。
【００２０】
図１および図２に示すように、照明装置１は、ケーシング１１と、カバー１２と、光源部１３とを有する。以下では、ケーシング１１に対してカバー１２側を正面側として、各部の位置関係を説明する。
【００２１】
ケーシング１１は、内部に光源部１３を収容する筐体である。ケーシング１１は、正面側に開口を有する有底四角筒形状の筐体である。
【００２２】
カバー１２は、ケーシング１１の正面側の開口を覆う部材である。カバー１２には、光透過性を有し、かつ、透過光を拡散する拡散板が用いられる。
【００２３】
光源部１３は、ケーシング１１とカバー１２とにより囲まれた内部空間に配置される。図２に示すように、光源部１３は、基板２０と、基板２０上に配置された第１発光部２１および第２発光部２２を有する。第１発光部２１は、第１色温度の白色光を正面側へと照射する機能を有する。第１発光部２１は、第１色温度の白色光を照射する５４個の第１ＬＥＤ光源３１を有する。５４個の第１ＬＥＤ光源３１は、基板２０の正面側の面に、ケーシング１１の長手方向に沿って１列に、かつ、略等間隔に並べられている。
【００２４】
第２発光部２２は、第２色温度の白色光を正面側へと照射する機能を有する。第２発光部２２は、第２色温度の白色光を照射する５０個の第２ＬＥＤ光源３２を有する。５０個の第２ＬＥＤ光源３２は、基板２０上に、ケーシング１１の長手方向に沿って１列に、かつ、略等間隔に並べられている。本実施形態では、第１色温度は、第２色温度よりも高い色温度である。第１色温度は、一例として５７００Ｋである。また、第２色温度は、一例として３０００Ｋである。
【００２５】
照明装置１は、第１色温度の白色光と第２色温度の白色光とを、外部から供給される電流量により定まる調光率に対応する割合で照射することにより調光調色を実現する調光調色回路１４を有する。調光調色回路１４は、図３に示すように、２個の入力部３３により、第１色温度の白色光を照射する光源列（以下「高色光源列」と称する）４１、高色光源列４２、第２色温度の白色光を照射する光源列（以下「低色光源列」と称する）５１、および低色光源列５２が並列に接続されて成る。入力部３３は、高色光源列４１、高色光源列４２、低色光源列５１および低色光源列５２を並列に接続する並列接続配線部３４に、端子部３５が接続されて成る。ここで、高色光源列４１および高色光源列４２が第１発光部２１を構成する。また、低色光源列５１および低色光源列５２が第２発光部を構成する。
【００２６】
高色光源列４１および４２は、それぞれ第１ＬＥＤ光源３１が２７個直列に接続されて成る。低色光源列５１および５２は、それぞれ１個の定電流ダイオード３６と、２５個の第２ＬＥＤ光源３２とが直接に接続されて成る。
【００２７】
以下の説明では、高色光源列４１に含まれる２７個の第１ＬＥＤ光源３１を、それぞれ区別するため、第１ＬＥＤ光源Ｈ１〜Ｈ２７ともいう。同様に、高色光源列４２に含まれる２７個の第１ＬＥＤ光源３１を、それぞれ第１ＬＥＤ光源Ｈ２８〜Ｈ５４ともいう。低色光源列５１に含まれる２５個の第２ＬＥＤ光源３２を、それぞれ第１ＬＥＤ光源Ｌ１〜Ｌ２５ともいう。低色光源列５２に含まれる２５個の第２ＬＥＤ光源３２を、それぞれ第１ＬＥＤ光源Ｌ２６〜Ｌ５０ともいう。また、低色光源列５１に含まれる定電流ダイオード３６を定電流ダイオードＣ１ともいう。低色光源列５２に含まれる定電流ダイオード３６を定電流ダイオードＣ２ともいう。
【００２８】
定電流ダイオード３６は、直列に接続される各素子に流れる電流の電流値を一定範囲内に制限する定電流素子である。図４は、種々の定電流ダイオードの電圧−電流特性を示した図である。本実施形態の定電流ダイオード３６には、一例として、図４中にＡで示す種類の定電流ダイオードが用いられる。
【００２９】
定電流ダイオード３６は、特定の電圧範囲内（一例として約６〜１１Ｖ）において、一定の電流値（一例として１０ｍＡ）の電流を流す。以下、定電流ダイオード３６に流れる電流値が安定する特定の電圧範囲を「安定電圧範囲」という。低色光源列５１および５２は、それぞれ、定電流ダイオード３６を有することにより、第２ＬＥＤ光源Ｌ１〜Ｌ２５および第２ＬＥＤ光源Ｌ２６〜Ｌ５０に、上述した一定の電流値の電流が流れる。
【００３０】
２つの端子部３５には、電源回路が接続される。電源回路は、所望の可変電流値の電力を供給する定電流源として機能する。電源回路は、照明装置１の発光動作時に、端子部３５を介して、４つの光源列４１、４２、５１および５２に対して電流を供給する。
【００３１】
続いて、調光調色回路１４に供給される電流の電流値と、調光調色回路１４に含まれるＬＥＤ光源が発する光の光束および色温度との関係について説明する。図５は、照明装置１に設定される調光率、その調光率の場合に電源回路から供給される電流の電流値、第１発光部２１に流れる電流の電流値と第１発光部２１が照射する光の光束（図４中「５７００Ｋ」の欄）、第２発光部２２に流れる電流の電流値と第２発光部２２が照射する光の光束（図４中「３０００Ｋ」の欄）、および、第１発光部２１が照射する光と第２発光部２２が照射する光の合成光の光束とその色温度との関係を示した図である。調光率は、一例として、ユーザによってリモコンなどの入力装置を用いて照明装置１に入力されるなどにより、設定される。図６は、調光率と光束との関係を示したグラフである。図７は、調光率と色温度との関係を示したグラフである。
【００３２】
図５に示すように、照明装置１において調光率が１００％に設定されている場合、電源回路から調光調色回路１４に供給される電流は１５０ｍＡである。このとき、低色光源列５１および５２に、定電流ダイオード３６の機能により１０ｍＡずつの電流が流れる。よって、第２発光部２２には、低色光源列５１に流れる電流と、低色光源列５２に流れる電流とを合わせた２０ｍＡの電流が流れる。これは、図５の表において、「３０００Ｋ・電流」を示す列における「調光率＝１００％」を示す行に「２０ｍＡ」と記載することで表されている。
【００３３】
一方、第１発光部２１には、第２発光部２２に流れた２０ｍＡの電流を除いた１３０ｍＡの電流が流れる。これは、図５の表において、「５７００Ｋ・電流」を示す列における「調光率＝１００％」を示す行に「１３０ｍＡ」と記載することで表されている。なお、このとき２つの高色光源列４１および４２には、それぞれ６５ｍＡの電流が流れる。なお、第１ＬＥＤ光源３１および第２ＬＥＤ光源３２の順電圧は約３Ｖである。
【００３４】
調光調色回路１４に供給される電流値を次第に小さくする場合、供給される電流値が２０ｍＡを超えるときには、第２発光部２２に２０ｍＡの電流が供給され、第１発光部２１には残りの電流が供給される。すなわち、調光調色回路１４に供給される電流値を上限値から次第に小さくすると、第２発光部２２に供給される電流値は一定のまま、第１発光部２１に供給される電流値が小さくなる。そして、調光調色回路１４に供給される電流値が２０ｍＡ以下である場合、第２発光部２２に対してのみ電流が流れ、第１発光部２１には電流が流れない。
【００３５】
このように、調光率の低い領域においては、第２発光部２２に供給される電流値が、第１発光部２１に供給される電流値よりも大きくなる。したがって、図５および図６に示すように、調光率の低い領域においては、第２発光部２２が照射する３０００Ｋの白色光が支配的となる。このため、図５および図７に示すように、調光率が低くなるにつれて、光源部１３全体の照射光の色温度は３０００Ｋ前後の電球色に近づく。
【００３６】
一方、調光率の高い領域においては、第１発光部２１に供給される電流値が、第２発光部２２に供給される電流値よりも大きくなる。すなわち、図５および図６に示すように、調光率が高くなるにつれて、第１発光部２１が照射する５７００Ｋの白色光が支配的となる。このため、図５および図７に示すように、調光率が高くなるにつれて、光源部１３全体の照射光の色温度は５０００Ｋ前後の昼白色に近づく。
【００３７】
ここで、各ＬＥＤ光源３１および３２の順方向降下電圧には、製造上ばらつきが生じうる。しかしながら、上記のように、各定電流ダイオード３６にかかる電圧が６〜１１Ｖの安定電圧範囲内であれば、各定電流ダイオード３６に流れる電流は一定に保たれる。よって、第２ＬＥＤ光源３２には一定の電流が流れる。したがって、第２発光部２２に含まれる低色光源列５１および５２が照射する白色光の色温度は、製造上のばらつきに左右されず、一定に保たれる。このため、各ＬＥＤ光源３１および３２の順方向降下電圧に製造上ばらつきがある場合であっても、調光調色回路１４に供給される電流値と、光源部１３全体の照射光の色温度との関係が、調光調色回路１４毎にばらつくのを抑制できる。
【００３８】
＜２．変形例＞
以上、本発明の主たる実施形態について説明したが、本発明は、上記の実施形態に限定されるものではない。
【００３９】
（１）
上述の実施形態では、調光調色回路１４における高色光源列および低色光源列の数をそれぞれ２とする例で説明したが、本発明はこれに限られず、高色光源列および低色光源列の数がそれぞれ１以上であれば足りる。
【００４０】
図８は、本発明の一変形例に係る調光調色回路１４Ａの回路図である。この調光調色回路１４Ａは、２つの入力部３３Ａにより、１つの高色光源列４１Ａと、１つの低色光源列５１Ａとが並列に接続されて成る。入力部３３Ａは、１つの高色光源列４１Ａと、１つの低色光源列５１Ａとを並列に接続する並列接続配線部３４Ａに、端子部３５Ａが接続されて成る。高色光源列４１Ａは、第１ＬＥＤ光源Ｈ１〜Ｈ１０が直列に接続されて成る。低色光源列５１Ａは、定電流ダイオードＣ１と、第２ＬＥＤ光源Ｌ１〜Ｌ７とが、直列に接続されて成る。
【００４１】
図９は、他の変形例に係る調光調色回路１４Ｂの回路図である。調光調色回路１４Ｂは、２つの入力部３３Ｂにより、３つの高色光源列４１Ｂ、４２Ｂおよび４３Ｂ、並びに２つの低色光源列５１Ｂおよび５２Ｂが並列に接続されて成る。入力部３３Ｂは、３つの高色光源列４１Ｂ、４２Ｂおよび４３Ｂ、並びに２つの低色光源列５１Ｂおよび５２Ｂを並列に接続する並列接続配線部３４Ｂに、端子部３５Ｂが接続されて成る。
【００４２】
高色光源列４１Ｂは、第１ＬＥＤ光源Ｈ１〜Ｈ２７が直列に接続されて成る。高色光源列４２Ｂは、第１ＬＥＤ光源Ｈ２８〜Ｈ５４が直列に接続されて成る。高色光源列４３Ｂは、第１ＬＥＤ光源Ｈ５５〜Ｈ８１が直列に接続されて成る。また、低色光源列５１Ｂは、定電流ダイオードＣ１と、第２ＬＥＤ光源Ｌ１〜Ｌ２５とが直列に接続されて成る。低色光源列５２Ｂは、定電流ダイオードＣ２と、第２ＬＥＤ光源Ｌ２６〜Ｌ５０とが直列に接続されて成る。
【００４３】
（２）
上記の実施形態および変形例では、低色光源列において、定電流ダイオードと、第２ＬＥＤ光源とが直列に接続されていたが、このような接続に限るものではなく、定電流ダイオードを通った電流が、第２のＬＥＤ光源に流れる構成であれば足りる。
【００４４】
図１０は、本変形例に係る調光調色回路１４Ｃの回路図である。この調光調色回路１４Ｃは、２つの入力部３３Ｃにより、６個の高色光源列４１Ｃ〜４６Ｃ、並びに２つの低色光源列５１Ｃおよび５２Ｃが並列に接続されて成る。入力部３３Ｃは、６個の高色光源列４１Ｃ〜４６Ｃ、並びに２つの低色光源列５１Ｃおよび５２Ｃを並列に接続する並列接続配線部３４Ｃに、端子部３５Ｃが接続されて成る。
【００４５】
６個の高色光源列４１Ｃ〜４６Ｃは、それぞれ、第１ＬＥＤ光源Ｈ１〜Ｈ１８、第１ＬＥＤ光源Ｈ１９〜Ｈ３６、第１ＬＥＤ光源Ｈ３７〜Ｈ５４、第１ＬＥＤ光源Ｈ５５〜Ｈ７２、第１ＬＥＤ光源Ｈ７３〜Ｈ９０、および第１ＬＥＤ光源Ｈ９１〜Ｈ１０８が直列に接続されて成る。
【００４６】
また、低色光源列５１Ｃは、定電流ダイオードＣ１と、第２ＬＥＤ光源Ｌ１〜Ｌ４５から成る低色光源回路５１０Ｃとが直列に接続されて成る。低色光源回路５１０Ｃは、副光源列５１１Ｃ〜５１３Ｃが並列に接続されたものである。副光源列５１１Ｃは、第２ＬＥＤ光源Ｌ１〜Ｌ１５が直列に接続されて成る。副光源列５１２Ｃには、第２ＬＥＤ光源Ｌ１６〜Ｌ３０が直列に接続されて成る。副光源列５１３Ｃは、第２ＬＥＤ光源Ｌ３１〜Ｌ４５が直列に接続されて成る。
【００４７】
低色光源列５２Ｃは、定電流ダイオードＣ２と、複数の第２ＬＥＤ光源Ｌ４６〜Ｌ９０からなる低色光源回路５２０Ｃとが直列に接続されて成る。低色光源列５２Ｃは、低色光源列５１Ｃと同様の構成をしている。
【００４８】
（３）
上記の実施形態および変形例では、低色光源列において、定電流ダイオードが直列の先頭に接続されていたが、このような接続に限るものではなく、直列の中間、直列の最後に接続されてもよい。
【００４９】
図１１は、本変形例に係る調光調色回路１４Ｄの回路図である。この調光調色回路１４Ｄは、２つの入力部３３Ｄにより、２つの高色光源列４１Ｄおよび４２Ｄ、並びに２つの低色光源列５１Ｄおよび５２Ｄが接続されて成る。入力部３３Ｄは、２つの高色光源列４１Ｄおよび４２Ｄ、並びに２つの低色光源列５１Ｄおよび５２Ｄを並列に接続する並列接続配線部３４Ｄに、端子部３５Ｄが接続されて成る。
【００５０】
高色光源列４１Ｄは、第１ＬＥＤ光源Ｈ１〜Ｈ２７が直列に接続されて成る。高色光源列４２Ｄは、第１ＬＥＤ光源Ｈ２８〜Ｈ５４が直列に接続されて成る。また、低色光源列５１Ｄは、定電流ダイオードＣ１および第２ＬＥＤ光源Ｌ１〜Ｌ２５が直列に接続されて成る。ただし、定電流ダイオードＣ１は、一例として第２ＬＥＤ光源Ｌ２とＬ３の間に配されている。低色光源列５２Ｄは、定電流ダイオードＣ２および第２ＬＥＤ光源Ｌ２６〜Ｌ５０が直列に接続されて成る。ただし、定電流ダイオードＣ２は、一例として第２ＬＥＤ光源Ｌ２７とＬ２８の間に配されている。
【００５１】
（４）
上記の実施形態および変形例では、高色温度の第１ＬＥＤ光源の色温度が５７００Ｋであり、低色温度の第２ＬＥＤ光源の色温度が３０００Ｋであるとしたが、これに限られず、第１色温度と第２色温度とが異なる色温度であれば足りる。
【００５２】
例えば、上記の実施形態において、高色温度の第１ＬＥＤ光源の色温度を５０００Ｋ、低色温度の第２ＬＥＤ光源の色温度を３０００Ｋとした場合、調光率が高い領域における色温度は約４５００Ｋの白色となり、調光率が低い領域における色温度が約３０００Ｋの電球色となる。このように、各ＬＥＤ光源の色温度を、用途に応じて変更できる。
【００５３】
（５）
上記の実施形態および変形例では、低色光源列に定電流素子を含めて低色光源列に流れる電流を一定とし、高色光源列に流れる電流を変化させることとしたが、これに限られず、高色光源列に定電流素子を含めて高色光源列に流れる電流を一定とし、低色光源列に流れる電流を変化させることとしてもよい。
【００５４】
（６）
また、本発明において、第１ＬＥＤ光源の数、第２ＬＥＤ光源の数および定電流素子の数は、上記の実施形態の例および変形例に限定されない。第１ＬＥＤ光源の数、第２ＬＥＤ光源の数および定電流素子の数は、照明装置の大きさ、端子間に付加される電圧値、所望の光量、所望の色温度等によって適宜調整することが好ましい。
【００５５】
（７）
上記の実施形態および変形例では、定電流素子として定電流ダイオードを用いたが、これに限らず、電流値を略一定にできる素子を用いれば足りる。例えば、定電流ダイオードに代えて定電流源ＩＣなどを用いてもよい。
【００５６】
（８）
上記の実施形態および変形例では、用いる第１ＬＥＤ光源の個数と、第２ＬＥＤ光源の個数との関係については説明しなかったが、使用する第１ＬＥＤ光源の個数から使用する第２ＬＥＤ光源の個数を差し引いた個数は、２〜３個が好ましい。
【００５７】
（９）
本発明の照明装置は、用途や形状を限るものではなく、直接照明用のＬＥＤライトであってもよいし、直接照明用のＬＥＤライトであってもよい。また、ディスク型ＬＥＤライトであってもよい。また、上記の実施形態および変形例では、第１および第２ＬＥＤ光源を１列に、かつ、略等間隔に並べていたが、これに限らず、第１ＬＥＤ光源が照射する第１色温度の光と第２ＬＥＤ光源が照射する第２色温度の光とが混ざり所望の色温度の光となる配列であれば足りる。例えば、第１ＬＥＤ光源および第２ＬＥＤ光源が、円、楕円および矩形に並べられてもよいし、外縁が円、楕円、および矩形などの形になるよう敷き詰めるように並べられてもよい。また、上記の実施形態および変形例では、高色温度と低色温度の２色の色温度のＬＥＤ光源を用いることとしたが、これに限るものではなく、複数の色温度の光が混ざることで、各光源が照射する光の色温度とは異なる色温度の光を実現できれば足りる。例えば、３色以上の色温度のＬＥＤ光源を用いることとしてもよい。
【００５８】
（１０）
また、上記の各実施形態や変形例に登場した各要素を、矛盾が生じない範囲で、任意に組み合わせてもよい。
【符号の説明】
【００５９】
１  照明装置
１４，１４Ａ，１４Ｂ，１４Ｃ，１４Ｄ  調光調色回路
３１，Ｈ１〜Ｈ１０８  第１ＬＥＤ光源
３２，Ｌ１〜Ｌ９０  第２ＬＥＤ光源
３３，３３Ａ，３３Ｂ，３３Ｃ，３３Ｄ  入力部
３４，３４Ａ，３４Ｂ，３４Ｃ，３４Ｄ  並列接続配線部
３５，３５Ａ，３５Ｂ，３５Ｃ，３５Ｄ  端子部
３６，Ｃ１，Ｃ２  定電流ダイオード
４１，４２，４１Ａ，４１Ｂ，４２Ｂ，４３Ｂ，４１Ｃ，４２Ｃ，４３Ｃ，４４Ｃ，４５Ｃ，４６Ｃ，４１Ｄ，４２Ｄ  高色光源列
５１，５２，５１Ａ，５１Ｂ，５２Ｂ，５１Ｃ，５２Ｃ，５１Ｄ，５２Ｄ  低色光源列
５１０Ｃ，５２０Ｃ  低色光源回路
５１１Ｃ，５１２Ｃ，５１３Ｃ  副光源列
【図１】
0006719939.tif 000002
【図２】
0006719939.tif 000003
【図３】
0006719939.tif 000004
【図４】
0006719939.tif 000005
【図５】
0006719939.tif 000006
【図６】
0006719939.tif 000007
【図７】
0006719939.tif 000008
【図８】
0006719939.tif 000009
【図９】
0006719939.tif 000010
【図１０】
0006719939.tif 000011
【図１１】
0006719939.tif 000012